(57)【要約】【課題】本発明は、背凭れ本体に対する化粧部材の位置ずれや脱落を防ぎ、外観体裁が良好でデザイン性の高い椅子の背凭れ、およびそれを備えた椅子を提供する。【解決手段】本発明の椅子の背凭れは、背凭れ本体と、背凭れ支持部材と、化粧部材と、背凭れ本体と化粧部材との間に配置された化粧部材と、背凭れ本体の前記後面と化粧部材の前面との間に配置された隙間形成部材と、を備え、背凭れ本体および化粧部材のうちのいずれか一方に設けられる係合部と、背凭れ本体および化粧部材のうちのいずれか他方に設けられ、係合部が係合される被係合部と、を有し、隙間形成部材は、係合部と被係合部とが係合した状態において、化粧部材が背凭れ本体に近づく方向に変位することを規制し、化粧部材の外周縁部と背凭れ本体との間に隙間を形成する。【選択図】図１
2020062192.tif 000002
【特許請求の範囲】
【請求項１】
着座者の背を支持する前面を有する背凭れ本体と、
前記背凭れ本体の後面側に配置され、前記背凭れ本体の前記後面に、前面を対向させた状態で取り付けられる化粧部材と、
前記背凭れ本体の前記後面と前記化粧部材の前面との間に配置された隙間形成部材と、を備え、
前記背凭れ本体および前記化粧部材のうちのいずれか一方に設けられる係合部と、
前記背凭れ本体および前記化粧部材のうちのいずれか他方に設けられ、前記係合部が係合される被係合部と、を有し、
前記隙間形成部材は、前記係合部と前記被係合部とが係合した状態において、前記化粧部材が前記背凭れ本体に近づく方向に変位することを規制し、前記化粧部材の外周縁部と前記背凭れ本体との間に隙間を形成する、椅子の背凭れ。
【請求項２】
前記隙間形成部材は、前記化粧部材と前記背凭れ本体とが対向する方向に弾性的に圧縮して配置される弾性部材からなる、
請求項１に記載の椅子の背凭れ。
【請求項３】
前記係合部と前記被係合部との係合により、前記化粧部材と前記背凭れ本体とが離れる方向に移動することが規制されている、
請求項２に記載の椅子の背凭れ。
【請求項４】
前記化粧部材は、前記背凭れ本体の幅方向に間隔をおいて配置された一対の側部と、前記一対の側部どうしを連結する連結部と、を有し、
前記化粧部材と前記背凭れ本体との間であって前記一対の側部のそれぞれと対向する位置に、前記隙間形成部材が設けられている、
請求項１から３のいずれか一項に記載の椅子の背凭れ。
【請求項５】
前記化粧部材と前記背凭れ本体との間であって前記連結部と対向する位置に、前記化粧部材と前記背凭れ本体とを接続する補助係止手段が設けられている、
請求項４に記載の椅子の背凭れ。
【請求項６】
前記化粧部材は、前記背凭れ本体に対して取り外し可能に設けられている、
請求項１から５のいずれか一項に記載の椅子の背凭れ。
【請求項７】
前記背凭れ本体は、前記背凭れ本体によって支持される外周枠部材と、前記外周枠部材に張設される面材と、を有している、
請求項１から６のいずれか一項に記載の椅子の背凭れ。
【請求項８】
請求項１から請求項７のいずれか一項に記載の背凭れを備える、椅子。
【発明の詳細な説明】
【技術分野】
【０００１】
本発明は、椅子の背凭れ、およびそれを備えた椅子に関するものである。
【背景技術】
【０００２】
従来、椅子の背凭れの背面側に、背凭れ本体の表面を覆う化粧部材を備えた構成が知られている。
このような椅子として、化粧部材（カバー）に形成された係合部（係止爪）が、背凭れ本体（背杆）の背面に形成された被係合部（係合孔）に係合することで、背凭れ本体に支持された構成が開示されている（例えば、特許文献１）。上記の構成を採用することによって、背凭れ本体に対する化粧部材の位置ずれや脱落が防止されている。
【先行技術文献】
【特許文献】
【０００３】
【特許文献１】特開２０１０−０９４２７７号公報
【発明の概要】
【発明が解決しようとする課題】
【０００４】
背凭れ本体の背面側に取り付けられる化粧部材は、その意匠において椅子の外観に大きな影響を与える部材であるため、優れたデザイン性が求められる。例えば、特許文献１に開示されるように、化粧部材の素材に、背凭れ本体とは異なる素材を適用したり、化粧部材の表面に、デザインが施された布帛やフィルム等の部材を取り付けたりすることが考えられる。
【０００５】
しなしながら、背凭れ本体に対して化粧部材が隙間なく取り付けられていると、上記したフィルム等の部材の厚さの分だけ、背凭れ本体から化粧部材が浮き上がってしまい、化粧部材のずれや脱落が起こりやすい。
【０００６】
本願発明は、上記の技術的課題に鑑みてなされたもので、背凭れ本体に対する化粧部材の位置ずれや脱落を防ぎ、外観体裁が良好でデザイン性の高い背凭れ、およびそれを備えた椅子を提供することを目的とする。
【課題を解決するための手段】
【０００７】
本発明の一態様における椅子の背凭れは、着座者の背を支持する前面を有する背凭れ本体と、前記背凭れ本体の後面側に配置され、前記背凭れ本体の前記後面に、前面を対向させた状態で取り付けられる化粧部材と、前記背凭れ本体の前記後面と前記化粧部材の前記前面との間に配置された隙間形成部材と、を備え、前記背凭れ本体および前記化粧部材のうちのいずれか一方に設けられる係合部と、前記背凭れ本体および前記化粧部材のうちのいずれか他方に設けられ、前記係合部が係合される被係合部と、を有し、前記隙間形成部材は、前記係合部と前記被係合部とが係合した状態において、前記化粧部材が前記背凭れ本体に近づく方向に変位することを規制し、前記化粧部材の外周縁部と前記背凭れ本体との間に隙間を形成する。
【０００８】
この構成によれば、隙間形成部材によって、化粧部材の外周縁部と背凭れ本体との間に隙間を形成することができるので、化粧部材の表面にデザインが施されたフィルム等を取り付けるなど、外観デザインを変えるための種々の工夫を施しても、背凭れ支持部材に対して化粧部材が位置ずれしたり、脱落したりすることを防ぐことができる。
【０００９】
本発明の一態様における椅子の背凭れにおいて、前記隙間形成部材は、前記化粧部材と前記背凭れ本体とが対向する方向に弾性的に圧縮して配置される弾性部材からなる構成としてもよい。
【００１０】
この構成によれば、化粧部材と背凭れ本体との間に、弾性的に圧縮して配置された弾性部材が元の形に復元しようとする力が反発力となって、化粧部材が背凭れ本体に近づく方向に変位することが規制される。このため、化粧部材と背凭れ本体との間に上記隙間を確実に形成することができる。
【００１１】
本発明の一態様における椅子の背凭れにおいて、前記係合部と前記被係合部との係合により、前記化粧部材と前記背凭れ本体とが離れる方向に移動することが規制されている構成としてもよい。
【００１２】
この構成によれば、係合部と被係合部との係合強度を高めることができ、背凭れ本体に対する化粧部材の位置ずれやガタツキが生じるのを抑えることができる。
【００１３】
本発明の一態様における椅子の背凭れにおいて、前記化粧部材は、前記背凭れ本体の幅方向に間隔をおいて配置された一対の側部と、前記一対の側部どうしを連結する連結部と、を有し、前記化粧部材と前記背凭れ本体との間であって前記一対の側部のそれぞれと対向する位置に、前記隙間形成部材が設けられている構成としてもよい。
【００１４】
この構成によれば、幅方向両側に設けられた一対の隙間形成部材によって、背凭れ支持部材と化粧部材との外周縁部との間に均一な隙間を形成することができる。
【００１５】
本発明の一態様における椅子の背凭れにおいて、前記化粧部材と前記背凭れ本体との間であって前記連結部と対向する位置に、前記化粧部材と前記背凭れ本体とを接続する補助係止手段が設けられている構成としてもよい。
【００１６】
この構成によれば、一対の取付部材よりも幅方向内側に補助係止手段をさらに設けることによって、背凭れ本体と化粧部材の外周縁部との間により均一な隙間を形成することができる。
【００１７】
本発明の一態様における椅子の背凭れにおいて、前記化粧部材は、前記取付部材に対して取り外し可能に設けられている構成としてもよい。
【００１８】
この構成によれば、化粧部材を取り換えるだけで、背凭れの外観の印象を容易に変えることができる。化粧部材に対する外観デザインのアレンジが可能になるので、用途に応じてデザイン性の高い背凭れを提供することができる。
【００１９】
本発明において、前記背凭れ本体は、当該背凭れ本体の前記前面を構成する面材と、前記面材が架設される外周枠部材と、を有した構成としてもよい。
【００２０】
この構成によれば、着座者の背中を支える背凭れ本体の前面が、外周枠部材に張設された面材からなるため、背中を適度な弾力で支えることができる。
【００２１】
本発明の一態様における椅子は、上記の椅子の背凭れを備える。
【００２２】
この構成によれば、背凭れ本体に対する化粧部材の位置ずれや脱落を防ぎ、外観体裁が良好でデザイン性の高い背凭れを備えた椅子を提供することができる。
【発明の効果】
【００２３】
本発明によれば、背凭れ本体に対する化粧部材の位置ずれや脱落を防ぎ、外観体裁が良好でデザイン性の高い背凭れ、およびそれを備えた椅子を提供することができる。
【図面の簡単な説明】
【００２４】
【図１】図１は、実施形態の一態様における椅子の構成を示す正面図である。
【図２】図２は、実施形態の一態様における椅子の構成を示す背面図である。
【図３】図３は、実施形態の一態様における椅子の背凭れの構成を示す側面図である。
【図４】図４は、実施形態の一態様における背凭れ支持部材の周囲の構成を部分的に示す斜視図である。
【図５】図５は、実施形態の一態様における背凭れ支持部材の構成を部分的に示す斜視図である。
【図６】図６は、実施形態の一態様における取付部材の構成を示す斜視図である。
【図７】図７は、図５のＡ−Ａ線に沿う断面図である。
【発明を実施するための形態】
【００２５】
以下、添付図面を参照して、本発明における背凭れおよびそれを備えた椅子を実施するための形態を説明する。しかし、本発明はこの実施形態のみに限定されるものではない。なお、以下の各図面においては、各構成要素を見やすくするため、構成要素によって寸法の縮尺を異ならせて示すことがある。
【００２６】
以下の説明において、椅子の背凭れに背中を向けて正規姿勢で着座した人の正面を向く向きを「前」と呼び、それと逆側の向きを「後」と呼ぶものとする。また、椅子に正規姿勢で着座した人の上方を向く向きを「上」、それと逆側の向きを「下」と呼び、椅子に正規姿勢で着座した人の左方を「左」、右方を「右」と呼ぶこととする。また、椅子の左右方向を「幅方向」と呼ぶ。
【００２７】
また、図面においては、適宜３次元直交座標系としてＸＹＺ座標系を示す。ＸＹＺ座標系において、「Ｘ方向」は、図１に示す椅子の「幅方向」と平行な方向とする。「Ｚ方向」は、Ｘ方向と直交する方向であって図１の「上下方向」とする。「Ｙ方向」は、Ｘ方向とＺ方向との両方と直交する「前後方向」とする。
【００２８】
図１は、本実施形態の一態様における椅子の構成を示す正面図である。図２は、本実施形態の一態様における椅子の構成を示す背面図である。図３は、本実施形態の一態様における椅子の背凭れの構成を示す側面図である。図４は、本実施形態の一態様における背凭れ支持部材の周囲の構成を部分的に示す斜視図である。図５は、本実施形態の一態様における背凭れ支持部材の構成を部分的に示す斜視図である。図６は、本実施形態の一態様における取付部材の構成を示す斜視図である。図７は、図５のＡ−Ａ線に沿う断面図である。
【００２９】
図１および図２に示すように、本実施形態の椅子１は、床面上に載置される脚部２と、脚部２の上端に設置されるボックス状の支基３と、着座者が着座する座体４と、支基３の上面に取り付けられ座体４を支持する座受部材５と、支基３から後部上方側に延出して座体４に着座した着座者の背中を支持する背凭れ６と、を備えている。
【００３０】
脚部２は、キャスタ７ａ付きの多岐脚７と、多岐脚７の中央部より起立し、昇降機構であるガススプリングを内蔵する脚柱８と、を備えている。
【００３１】
支基３は、脚柱８の上端部に取り付けられている。支基３には、脚柱８の昇降調整機構と背凭れ６の傾動調整機構が内蔵されている。
【００３２】
座体４は、図１に示すように、骨格部を成す座体外周枠本体部１３と、座体外周枠本体部１３に張設された座体用面材１４と、を備えている。
【００３３】
座体外周枠本体部１３は、例えば合成樹脂によって形成され、上面視では四隅が丸みを帯びた略長方形状とされている。座体外周枠本体部１３の外周縁部には、座体外周枠本体部１３の内方に向かって凹む溝１３ｍが周方向に連続して形成されている。
【００３４】
座体用面材１４は、多数の孔が形成されたメッシュ状であり、外周端部に縁材（不図示）が設けられている。そして、座体用面材１４は、その外周端部が、座体外周枠本体部１３に形成された溝１３ｍに巻き込まれ、溝１３ｍ内に挿入される縁材によって座体外周枠本体部１３に固定されている。
【００３５】
背凭れ６は、座体４に着座した着座者の背中からの荷重を支持する。背凭れ６は、その一部が支基３内の傾動調整機構に連結されている。また、支基３には、傾動調整機構を操作するための操作ノブ１２が設けられており、この操作ノブ１２を着座者が操作することで、背凭れ６を前後方向（Ｙ方向）に傾動させるときの反力を調整することができる。
【００３６】
以下、本実施形態における背凭れ６の具体的な構成について説明する。
背凭れ６は、図３および図５に示すように、背凭れ本体２０および化粧部材２３と、背凭れ支持部材２２、取付部材２４、および隙間形成部材２６、とを備えている。
【００３７】
（背凭れ本体）
背凭れ本体２０は、背受面構成部２１と背凭れ支持部材２２とを備えている。
【００３８】
（背受面構成部２１）
背受面構成部２１は、図１および図２に示すように、背凭れ外周枠部材（外周枠部材）２８と、背凭れ外周枠部材２８に張設された背凭れ用面材２９と、を有している。
【００３９】
背凭れ外周枠部材２８は、幅方向（Ｘ方向）に離間した一対の縦杆２８ａ，２８ａと、上杆２８ｂと、下杆２８ｃと、を備えている。背凭れ外周枠部材２８は、これら縦杆２８ａ，２８ａ、上杆２８ｂ、下杆２８ｃにより、図１および図２に示したような環状の枠形状とされている。背凭れ外周枠部材２８は、例えば、樹脂、アルミ合金等により作製される。背凭れ外周枠部材２８の外周縁部には、背凭れ外周枠部材２８の内方に向かって凹む溝２８ｍ（図３）が周方向に連続して形成されている。
【００４０】
背凭れ用面材２９は、図１および図２に示すように、多数の孔が形成されたメッシュ状であり、外周端部（不図示）に縁材（不図示）が設けられている。そして、背凭れ用面材２９は、その外周端部（不図示）が、図３に示す背凭れ外周枠部材２８に形成された溝２８ｍに巻き込まれ、溝２８ｍ内に挿入される縁材によって背凭れ外周枠部材２８に固定されている。座体４に着座した着座者の背中は、背凭れ本体２０の前面２０ａ（図１）を構成する背凭れ用面材２９に接触する。背凭れ外周枠部材２８に布状の背凭れ用面材２９を帳設することにより、着座者の背中を適度な弾力で支持することができる。
【００４１】
（背凭れ支持部材）
図３および図４に示すように、背受面構成部２１の後面２１ｂ側には背凭れ支持部材２２が配置されている。背凭れ支持部材２２は、上述した背受面構成部２１を支持する。背受面構成部２１は、複数の締結具を介して背凭れ支持部材２２に固定されている。締結具は、例えば、留めネジとこれに螺合するナットとにより構成され、背凭れ支持部材２２と背凭れ外周枠部材２８とを締結する。留めネジは、図４に示した背凭れ外周枠部材２８の縦杆２８ａに形成された複数の固定孔２８ｇと、図５に示した背凭れ支持部材２２に形成された穴部２２ｇとに挿入される。なお、背受面構成部２１と背凭れ支持部材２２の取付け手段は、上述した締結具に限定されるものではない。背凭れ外周枠部材２８には、図４に示すように、固定孔２８ｇを隠すようにしてカバー部材１５が設けられている。
【００４２】
また、背凭れ支持部材２２は、座体４も支持する。背凭れ支持部材２２と座体４との取付け手段についての具体的な説明は省略するが、例えば、上述したような締結具を採用してもよい。
【００４３】
背凭れ支持部材２２は、図２に示すように、背凭れ外周枠部材２８の外形の一部に倣う形状とされている。背凭れ支持部材２２は、図２および図３に示すように、一対の側部２２Ａと、第１連結部２２Ｂと、第２連結部２２Ｃと、一対の延出部２２Ｄと、を有している。なお、図３においては、一方の側部２２Ａ、延出部２２Ｄの図示を省略している。
【００４４】
図２に示す背凭れ支持部材２２のうち、幅方向（Ｘ方向）に間隔をおいて存在する一対の側部２２Ａ，２２Ａが、背凭れ外周枠部材２８の縦杆２８ａ、２８ａにそれぞれ対向する。背凭れ支持部材２２は、上下方向（Ｚ方向）に延在する一対の側部２２Ａ，２２Ａと、これら側部２２Ａ，２２Ａの上端側を連結する第１連結部２２Ｂ（図３）と、下端側を連結する第２連結部２２Ｃ（図２および図３）とによって、その一部が、図２に示すように環状に形成されている。背凭れ支持部材２２の開口２２ｅからは、背受面構成部２１の背凭れ用面材２９が露出する。
【００４５】
また、背凭れ支持部材２２は、図３および図４に示すように、一対の側部２２Ａがその延在方向の所定の位置において屈曲されており、上記第２連結部２２Ｃと一対の延出部２２Ｄとが、図１および図２に示した座体４の下面側と対向する。
【００４６】
（化粧部材）
化粧部材２３は、図３および図４に示すように、背凭れ本体２０の後面２０ｂ（図２）側に配置され、後面２０ｂに前面２３ａを対向させた状態で背凭れ本体２０に設けられている。具体的に、化粧部材２３は、背凭れ支持部材２２に対してその後面２２ｂ（図５）の一部を覆うようにして取り付けられている。
【００４７】
化粧部材２３は、図２に示すように、一対の側部２３Ａ，２３Ａと、連結部２３Ｂと、を有している。幅方向（Ｘ方向）に離間した一対の側部２３Ａ，２３Ａは、それぞれ上下方向（Ｚ方向）に延在し、上端部どうしが幅方向に延在する連結部２３Ｂによって連結されている。化粧部材２３は、これら一対の側部２３Ａ、２３Ａと連結部２３Ｂとによって、下方に開放された形状を有する。化粧部材２３の一対の側部２３Ａ，２３Ａおよび連結部２３Ｂは、背凭れ支持部材２２の一対の側部２２Ａ，２２Ａおよび第１連結部２２Ｂにそれぞれ対向する。
【００４８】
化粧部材２３は、背凭れ支持部材２２の後面２２ｂ（図５）を隠すように取り付けられる。そのため、化粧部材２３は、椅子１を背面側から見たときに、化粧部材２３から背凭れ支持部材２２の後面２２ｂがはみ出して見えることのない大きさを有している。
【００４９】
図３に示すように、化粧部材２３は、一対の側部２３Ａ，２３Ａの下端側が、背凭れ支持部材２２の側部２２Ａの屈曲形状に倣って湾曲している。このため、化粧部材２３を背凭れ支持部材２２に取り付けた状態において、化粧部材２３の一対の側部２３Ａ，２３Ａが背凭れ支持部材２２の側部２２Ａ，２２Ａの下側に入り込む。これにより、化粧部材２３によって、背凭れ支持部材２２の後面２２ｂを全体的にカバーすることができるため、椅子１の背面側の見栄えをよくすることができる。
【００５０】
本実施形態の化粧部材２３には、背凭れ６の外観の印象を左右するデザインシート１９が設けられている。デザインシート１９は、所定のデザインが施された布帛や樹脂フィルムからなり、化粧部材２３の後面２３ｂの少なくとも一部を覆うようにして貼り付けられている。デザインシート１９は、化粧部材２３の後面２２ｂの全体を覆っていてもよく、後面２３ｂから前面２３ａの周縁領域にかけて、化粧部材２３の外周縁部を包むようにして設けられている。
このような化粧部材２３は、図２に示すように幅方向両側に配置された一対の取付部材２４，２４を介して背凭れ支持部材２２に取り付けられている。
【００５１】
（取付部材）
本実施形態では、背凭れ支持部材２２の後面２２ｂと、化粧部材２３の前面２３ａ（図４）との間に、図５に示した取付部材２４が２つ配置されている。取付部材２４は、図２に示すように、化粧部材２３と背凭れ支持部材２２との間のうち、化粧部材２３の側部２３Ａ，２３Ａおよび背凭れ支持部材２２の側部２２Ａ，２２Ａと対向する位置にそれぞれ配置されている。上述した化粧部材２３は、幅方向両側に配置された一対の取付部材２４の後面２４ｄ側のそれぞれに、前面２３ａ（図）を対向させた状態で、不図示の接合手段により各取付部材２４に取り付けられている。
【００５２】
取付部材２４は、図６に示すように、矩形状の平面部２４Ａと、一対の第１の係合凸部（係合部）１６Ａ，１６Ａと、一対の第２の係合凸部（係合部）１６Ｂ，１６Ｂとを有している。第１の係合凸部１６Ａ，１６Ａは、平面部２４Ａの幅方向一方の長辺２４ａ側に配置され、平面部２４Ａの長さ方向に間隔をおいて配置されている。第２の係合凸部１６Ｂ，１６Ｂは、平面部２４Ａの幅方向他方の長辺２４ｂ側に配置され、平面部２４Ａの長さ方向に間隔をおいて配置されている。第１の係合凸部１６Ａ，１６Ａどうしの配置間隔は、第２の係合凸部１６Ｂ，１６Ｂどうしの配置間隔よりも狭く、第１の係合凸部１６Ａと第２の係合凸部１６Ｂとの位置関係が平面部２４Ａの長さ方向でずれている。
【００５３】
このような取付部材２４には、背凭れ支持部材２２に取り付けられた状態において、取付部材２４と背凭れ支持部材２２との間に所定の大きさの隙間１０を形成するための隙間形成部材２６が設けられている。
【００５４】
（隙間形成部材）
隙間形成部材２６は、図６に示すように、取付部材２４における平面部２４Ａの一面側であって、背凭れ支持部材２２の後面２２ｂに対向する前面２４ｃの一部に設けられている。本実施形態の隙間形成部材２６は、一方向に長さを有する平面視矩形状を呈し、平面部２４Ａの長さ方向の略全体に連続的に設けられている。あるいは平面部２４Ａの長さ方向に断続的に設けられていてもよい。隙間形成部材２６の平面形状、配置に関しては、図示したものに限られず、適宜変更することが可能である。
【００５５】
隙間形成部材２６は、所定の厚さを有する弾性部材からなる。隙間形成部材２６の材質としては、例えば、不織布が用いられる。また、例えば、ゴム系部材や、ウレタンなどの適度なクッション性を有する合成樹脂部材などを採用してもよい。隙間形成部材２６の厚さとしては、例えば、２ｍｍ〜５ｍｍの範囲内であって、例えば３ｍｍ程度が好ましい。
【００５６】
取付部材２４は、図５に示すように、背凭れ支持部材２２の後面２２ｂに、隙間形成部材２６を有する前面２４ｃ（図６）を対向させた状態で取り付けられている。図５に示すように、背凭れ支持部材２２には、上述した取付部材２４の第１の係合凸部１６Ａ，１６Ａおよび第２の係合凸部１６Ｂ，１６Ｂに対応する、第１の係合凹部２２Ｊ，２２Ｊ（被係合部）および第２の係合凹部２２Ｋ，２２Ｋ（被係合部）が形成されている。取付部材２４のうち、第１の係合凸部１６Ａ，１６Ａは、背凭れ支持部材２２の第１の係合凹部２２Ｊ，２２Ｊに係合し、第２の係合凸部１６Ｂ，１６Ｂは、背凭れ支持部材２２の第２の係合凹部２２Ｋ，２２Ｋに係合する。
【００５７】
このとき、図７に示すように、取付部材２４側の係合凸部１６Ａ，１６Ｂの各係合面１６Ｖが、背凭れ支持部材２２側の係合凹部２２Ｊ，２２Ｋの係合面２２Ｖに、背凭れ６の前後方向で対向し、互いに面接触することで係合状態が確保されている。
【００５８】
上述したように、本実施形態の取付部材２４には、背凭れ支持部材２２と対向する側に隙間形成部材２６が設けられている。そのため、一対の取付部材２４，２４が背凭れ支持部材２２に取り付けられた状態において、各取付部材２４と背凭れ支持部材２２との間に隙間形成部材２６が存在する。弾性部材からなる各隙間形成部材２６，２６は、図７に示すように、各取付部材２４，２４と背凭れ支持部材２２とが対向する方向（Ｙ方向）に弾性的に圧縮してそれぞれ配置される。
【００５９】
縮設された隙間形成部材２６は、取付部材２４と背凭れ支持部材２２との間で圧縮前の元の形に復元しようとする。その弾性復元力が反発力となって、化粧部材２３が背凭れ支持部材２２に近づく方向に変位することが規制されている。
【００６０】
このように本実施形態では、背凭れ支持部材２２と化粧部材２３との間に隙間形成部材２６を配置することによって、化粧部材２３が背凭れ支持部材２２に近づくことが規制されているとともに、縮設された隙間形成部材２６の復元に伴う反発力によって背凭れ支持部材２２と化粧部材２３とが離れすぎてしまうのを、係合凹部２２Ｊ，２２Ｋと係合凸部１６Ａ，１６Ｂとの係合で規制している。これにより、化粧部材２３の外周縁部２３ｄと背凭れ支持部材２２との間に、所定の大きさの隙間１０が形成される。
【００６１】
背凭れ６の前後方向（Ｙ方向）における隙間１０の寸法としては、本実施形態では、０．５ｍｍ〜２ｍｍの範囲内であって、例えば、１ｍｍ程度の隙間１０が形成される。隙間１０の上限値としては、例えば、着座者の指や衣服が入り込むことのない寸法とすることが好ましい。また、隙間１０の下限値としては、例えば、取付部材２４、化粧部材２３、背凭れ支持部材２２の寸法誤差から定まる隙間寸法の誤差範囲よりも大きい数値（すなわち、寸法誤差があっても隙間１０が形成される値）、あるいは当該数値のｎ倍（寸法誤差があっても隙間１０の幅の変化が気にならない程度）であることが好ましい。
【００６２】
このように、本実施形態の化粧部材２３は、取付部材２４に設けられた隙間形成部材２６によって、その外周縁部２３ｄと背凭れ支持部材２２との間に所定の大きさの隙間１０が形成された状態で取り付けられている。
【００６３】
また、化粧部材２３は、取付部材２４に対して取り外し可能に取り付けられる。例えば、取付部材２４の後面２４ｄに、両面テープあるいは面ファスナーを用いて化粧部材２３を貼り付けることにより、取付部材２４（背凭れ支持部材２２）に対して化粧部材２３の取り外しが自在となり、化粧部材２３の付け替えが適宜可能になっている。
【００６４】
以上述べたように、本実施形態の背凭れ６を備えた椅子１は、取り外し可能な化粧部材２３を備えており、デザインシート１９の異なる化粧部材２３を取り付けることによって、椅子１の外観を簡単に変えることができる。椅子１の外観は、化粧部材２３のデザインによって印象が変わってくるため、必要に応じてデザインの異なる化粧部材２３に付け替えることによって、さまざまな用途に応じて最適なデザインを選択することができる。このように、外観デザインのアレンジが可能でデザイン性の高い背凭れ６を備えることにより、着座者の要望に応じて幅広い用途に適した椅子１を提供することができる。
【００６５】
本実施形態では、化粧部材２３を背凭れ支持部材２２に対して隙間なく取り付けるのではなく、背凭れ支持部材２２との間に所定の大きさの隙間１０が形成された状態で化粧部材２３が取り付けられている。背凭れ支持部材２２に対して化粧部材２３が隙間なく取り付けられていると、化粧部材２３に設けられたデザインシート１９の厚さの分だけ、背凭れ支持部材２２から浮き上がってしまい、化粧部材２３の位置ずれや脱落が発生しやすくなるが、本実施形態のように、化粧部材２３と背凭れ支持部材２２との間に所定の大きさの隙間１０を形成することによって、化粧部材２３のデザインシート１９が上記隙間１０に収まるようになり、デザインシート１９が邪魔して背凭れ支持部材２２から化粧部材２３が浮き上がってしまうようなことがなくなる。
【００６６】
これにより、化粧部材２３にその外観を変えるためのデザインを変えるための種々の工夫を施しても、背凭れ支持部材２２に対する化粧部材２３の位置ずれや脱落が防止され、化粧部材２３を安定して取り付けることができる。
【００６７】
また、本実施形態では、化粧部材２３に対して異なるデザインシート１９を貼り付けるだけで、様々な種類の化粧部材２３を簡単に用意することができる。量産した化粧部材２３を用いることが可能なため、デザイン変更に係るコストを削減することができる。
【００６８】
本実施形態では、取付部材２４と背凭れ支持部材２２との間に隙間形成部材２６を配置することによって、上記隙間１０が確実に形成される構成となっている。隙間形成部材２６としては、弾性変形しない部材を用いてもよいが、本実施形態のように、弾性変形する部材を弾性的に圧縮した状態で配置することによって、隙間形成部材２６の弾性復元力によって、図７に示すように、係合凸部１６Ａ，１６Ｂの係合面１６Ｖが、係合凹部２２Ｊ，２２Ｋの係合面２２Ｖに対してより密着した状態で係合することになり、これらの係合強度を高めることができる。このため、背凭れ支持部材２２に対して、化粧部材２３の位置ずれやガタツキが生じるのを抑えることができる。
【００６９】
また、隙間形成部材２６の弾性復元力（反発力）によって化粧部材２３が背凭れ支持部材２２から離れる方向へ押圧されるが、取付部材２４の係合凸部１６Ａ，１６Ｂと、背凭れ支持部材２２の係合凹部２２Ｊ，２２Ｋとの係合により、取付部材２４が背凭れ支持部材２２から離れる方向へ大きく移動することが規制されている。そのため、背凭れ支持部材２２に対して化粧部材２３が必要以上（隙間１０の寸法以上）に離れてしまうこともなく、椅子１の使用中に着座者の衣服や指などが挟まる心配がなく、使い勝手が良い。
【００７０】
さらに、隙間形成部材２６の弾性的な復元力によって、隙間形成部材２６の厚さ寸法の誤差や係合構造の寸法誤差を緩和することができる。
【００７１】
また、背凭れ支持部材２２の幅方向両側の側部２２Ａ，２２Ａと対向する位置に、隙間形成部材２６を有する取付部材２４をそれぞれ配置することで、背凭れ支持部材２２と化粧部材２３の外周縁部２３ｄとの間に均一な大きさの隙間１０を形成することができる。
【００７２】
また、背凭れ支持部材２２の後面２２ｂに化粧部材２３を接続する手段として、化粧部材２３の連結部２３Ｂと、背凭れ支持部材２２の第１連結部２２Ｂとが対向する位置に、これらを接続する接続部材１８（図５）を備えていてもよい。接続部材１８により、化粧部材２３の幅方向中央部分の浮き上がりを抑制することができる。
【００７３】
このように本実施形態では、幅方向両側に配置された一対の取付部材２４（隙間形成部材２６）によって化粧部材２３の幅方向両側の浮き上がりが抑制されるとともに、幅方向中央に設けられた接続部材１８によって化粧部材２３の中央部分の浮き上がりが抑制されているため、背凭れ支持部材２２と化粧部材２３の外周縁部２３ｄとの間の隙間１０をより均一なものとすることができる。これにより、例えば、隙間１０の部分を黒いラインとみなすようなデザインを付与することができ、背凭れ６の見栄えを良くすることができる。
【００７４】
なお、接続部材１８としては、例えば両面接着テープが挙げられる。背凭れ支持部材２２の後面２２ｂと化粧部材２３の前面２３ａとを両面接着テープを介して部分的に接着させることで、これらを係止する構成であってもよい。また、接続部材１８は両面接着テープに限定されることなく、その他の係合手段を接続部材１８として採用してもよい。例えば、面ファスナーを用いてもよいし、背凭れ支持部材２２の一部と化粧部材２３の一部とが互いに係合するような構成としてもよい。
【００７５】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００７６】
上述の実施形態では、隙間形成部材２６として変形可能な弾性部材を用いていたが、変形しない材料からなるスペーサーを用いてもよい。背凭れ支持部材２２と化粧部材２３との間に所定の大きさの隙間１０を形成することができれば、弾性部材だけに限られない。
【００７７】
また、上述の実施形態では、隙間形成部材２６が取付部材２４の前面２４ｃに設けられていたが、背凭れ支持部材２２の後面２２ｂに設けられていてもよい。あるいは、取付部材２４および背凭れ支持部材２２のどちらか一方に予め設けておくのではなく、これらの間に単に介在させておいてもよい。
【００７８】
上述の実施形態では、取付部材２４側に係合凸部が設けられ、背凭れ支持部材２２側に係合凹部が設けられた構成となっているが、これに限らない。例えば、取付部材２４側に係合凹部を設け、背凭れ支持部材２２側に係合凸部を設けた構成としてもよい。
【００７９】
上述の実施形態では、取付部材２４に係合凸部が設けられ、背凭れ支持部材２２に係合凹部が設けられた構成となっているが、これに限らない。例えば、係合凸部および係合凹部のいずれか一方が化粧部材２３に一体的に形成され、係合凸部および係合凹部のいずれか他方が背凭れ支持部材２２に形成されていてもよい。これにより、取付部材２４が不要となり、部品点数の削減およびコストを抑えることができる。
【符号の説明】
【００８０】
１…椅子、１０…隙間、１６Ａ…第１の係合凸部（係合部）、１６Ｂ…第２の係合凸部（係合部）、１８…補助係止手段、２０…背凭れ本体、２０ａ…背凭れ本体の前面、２０ｂ…背凭れ本体の後面、２１…背受面構成部、２１ｂ…背受面構成部の後面、２２…背凭れ支持部材、２２ｂ…背凭れ支持部材の後面、２２Ａ…背凭れ支持部材の側部、２２Ｊ…第１の係合凹部（被係合部）、２２Ｋ…第２の係合凹部（被係合部）、２３…化粧部材、２３Ａ…側部、２３Ｂ…連結部、２３ａ…化粧部材の前面、２３ｂ…化粧部材の後面、２３ｄ…外周縁部、２４…取付部材、２４ｄ…取付部材の後面、２６…隙間形成部材、２８…背凭れ外周枠部材（外周枠部材）、２９…背凭れ用面材（面材）    
【図１】
2020062192.tif 000003
【図２】
2020062192.tif 000004
【図３】
2020062192.tif 000005
【図４】
2020062192.tif 000006
【図５】
2020062192.tif 000007
【図６】
2020062192.tif 000008
【図７】
2020062192.tif 000009